(57)【特許請求の範囲】
【請求項１】
ハンガーに設けた戸車を建物側のレール上に走行させることにより建物の開口部を開閉自在にスライドして前記開口部を一方側から閉じる防火扉を、火災時に前記開口部の周囲を形成する上枠及び竪枠側に引き寄せて前記開口部に対して防火扉を気密状態に保持する防火扉装置であって、
前記防火扉の上端に、前記ハンガー側から下向きに鉛直方向に突出する軸と、防火扉の上端から上向きに鉛直方向に突出する軸と、これら軸を回転自在に支持して水平方向に回転するケーシングとによって形成されたリンク手段を設け、
前記リンク手段を介して防火扉をハンガーに吊り下げ、
前記防火扉を閉じるときに防火扉の上端側を前記開口部の周囲を形成する上枠の前面側に引き寄せるべく、前記防火扉の上端に鉛直軸に支持されたローラを設け、前記開口部の後面側には前記ローラの当接により回転して前記ローラを後面側に引き寄せる鉛直軸に支持されたレバーを設け、
前記防火扉を閉じるときに防火扉の下端側を前記開口部の周囲を形成する竪枠の前面側に引き寄せるべく、前記防火扉の下端部戸尻側に開口部に対して反対側に防火扉の下端部から突出する回転自在なレバーを設け、床面には前記レバーに当接してこのレバーを開口部に対して反対側に突出させる当接部材を設け、防火扉が閉じた状態において防火扉の戸尻側に設けた前記レバーに対応する位置で竪枠の前面との間で防火扉の戸尻側を挟むようにレバー当接板を設け、防火扉が閉じた状態において前記当接部材により前記レバーを防火扉の下端部から突出させて前記レバー当接板に当接させることにより防火扉の下端部を前記竪枠の前面側に引き寄せるように構成した
ことを特徴とする防火扉装置。
【請求項２】
前記防火扉の戸先側の側面に凹部を形成し、防火扉が閉じるときに戸先側の側面が当接する当接枠側には前記凹部に嵌入して防火扉の戸先側を前記開口部の前面側へ引き寄せるレバーを設けたことを特徴とする請求項１記載の防火扉装置。
【請求項３】
ハンガーに設けた戸車を建物側のレール上に走行させることにより建物の開口部を開閉自在にスライドして前記開口部を両側から閉じる２つの防火扉を、火災時に前記開口部の周囲を形成する上枠及び竪枠側に引き寄せて前記開口部に対して防火扉を気密状態に保持する防火扉装置であって、
前記各防火扉の上端に、前記ハンガー側から下向きに鉛直方向に突出する軸と、防火扉の上端から上向きに鉛直方向に突出する軸と、これら軸を回転自在に支持して水平方向に回転するケーシングとによって形成されたリンク手段をそれぞれ設け、
前記リンク手段を介して各防火扉をそれぞれハンガーに吊り下げ、
前記各防火扉を閉じるときに各防火扉の上端側を前記開口部の周囲を形成する上枠の前面側に引き寄せるべく、前記各防火扉の上端に鉛直軸に支持されたローラをそれぞれ設け、前記開口部の後面側には前記各ローラの当接により回転して前記各ローラを前記開口部の後面側に引き寄せる鉛直軸に支持されたレバーをそれぞれ設け、
前記各防火扉を閉じるときに各防火扉の下端側を前記開口部の周囲を形成する竪枠の前面側に引き寄せるべく、前記各防火扉の下端部戸尻側に開口部に対して反対側に防火扉の下端部から突出する回転自在なレバーをそれぞれ設け、床面には前記各レバーに当接してこのレバーを開口部に対して反対側に突出させる当接部材をそれぞれ設け、各防火扉が閉じた状態において各防火扉の戸尻側に設けた前記各レバーに対応する位置で竪枠の前面との間で各防火扉の戸尻側を挟むようにレバー当接板をそれぞれ設け、各防火扉が閉じた状態において前記当接部材により前記レバーを各防火扉の下端部から突出させて前記レバー当接板にそれぞれ当接させることにより各防火扉の下端部を前記竪枠の前面側に引き寄せるように構成し、
かつ、一方の防火扉の戸先側の側面に沿って気密部材を設けた
ことを特徴とする防火扉装置。
【発明の詳細な説明】
【０００１】
【発明の属する技術分野】
本発明は、建物の通路、エレベータの出入り口などの開口部に設けられて火災時に開口部から煙などが流出するのを防ぐための防火扉装置に関するものである。
【０００２】
【従来の技術】
従来、防火扉装置としては、例えば防火扉の上端に防火扉の横長さ方向と平行な水平軸芯の周りで揺動可能なリンク部材を設け、このリンク部材を介して戸車付きのハンガーを設け、このハンガーに設けた戸車を建物側のレール上に走行可能に載せて防火扉がレール上でスライドするように構成し、防火扉のスライド時に防火扉を建物の開口部に設けた枠から離すために建物側に設けたガイドレールに当接するガイドローラを設け、前記ガイドレールには防火扉が閉した状態において前記ガイドローラが嵌入する凹部を設けて開口部に対して防火扉を気密状態に保持するようにしたものが知られている。
【０００３】
【発明が解決しようとする課題】
しかし、この防火扉装置は防火扉の上端に平行な水平軸芯の周りで揺動可能なリンク部材を設けるとともに、防火扉が閉じた状態においてガイドローラを単にガイドレールに形成された凹部に嵌入させるものであるから、火災時に防火扉側すなわち室内側が減圧になって開口部側の内圧が高くなると、前記リンク部材が開口部側から離れる方向に揺動してガイドローラが凹部から外れ、防火扉が建物側から離れるおそれがあるという問題点があった。
【０００４】
そこで、本発明は前記問題点を解決するものであって、建物の開口部側の内圧が高くなっても防火扉が建物の開口部側から離れるおそれがない防火扉装置を提供することを課題とするものである。
【０００５】
【課題を解決するための手段】
前記問題点を解決するために、本発明のうち請求項１に記載の発明は、ハンガーに設けた戸車を建物側のレール上に走行させることにより建物の開口部を開閉自在にスライドして前記開口部を一方側から閉じる防火扉を、火災時に前記開口部の周囲を形成する上枠及び竪枠側に引き寄せて前記開口部に対して防火扉を気密状態に保持する防火扉装置であって、前記防火扉の上端に、前記ハンガー側から下向きに鉛直方向に突出する軸と、防火扉の上端から上向きに鉛直方向に突出する軸と、これら軸を回転自在に支持して水平方向に回転するケーシングとによって形成されたリンク手段を設け、前記リンク手段を介して防火扉をハンガーに吊り下げ、前記防火扉を閉じるときに防火扉の上端側を前記開口部の周囲を形成する上枠の前面側に引き寄せるべく、前記防火扉の上端に鉛直軸に支持されたローラを設け、前記開口部の後面側には前記ローラの当接により回転して前記ローラを前記開口部の後面側に引き寄せるレバーを設け、前記防火扉を閉じるときに防火扉の下端側を前記開口部の周囲を形成する竪枠の前面側に引き寄せるべく、前記防火扉の下端部戸尻側に開口部に対して反対側に防火扉の下端部から突出する回転自在なレバーを設け、床面には前記レバーに当接してこのレバーを開口部に対して反対側に突出させる当接部材を設け、防火扉が閉じた状態において防火扉の戸尻側に設けた前記レバーに対応する位置で竪枠の前面との間で防火扉の戸尻側を挟むようにレバー当接板を設け、防火扉が閉じた状態において前記当接部材により前記レバーを防火扉の下端部から突出させて前記レバー当接板に当接させることにより防火扉の下端部を前記竪枠の前面側に引き寄せるように構成したことを特徴とする。
【０００６】
前記構成によれば、開口部を一方側から閉じる防火扉において、防火扉を閉じるときに、防火扉の上端に設けたローラが開口部の後面側に設けたレバーに当接すると、このレバーが回転して前記ローラが開口部の後面側に引き寄せられ、それに伴ってリンク手段のケーシングが開口部側へ水平に回転し、これによって防火扉の上端側がレールに対して平行状態を保持して上枠の前面側に引き寄せられ、防火扉の上端側が上枠の前面側に当接する。それと同時に防火扉の下端部戸尻側に設けたレバーに床面に設けた当接部材が当接し、このレバーを開口部に対して反対側に防火扉の下端部から突出させてレバー当接板に当接させ、それによって防火扉の下端側が開口部側に引き寄せられ、これによって防火扉の下端側が竪枠の前面側に引き寄せられ、防火扉の下端側が竪枠の前面側に当接する。そして、防火扉を閉じた状態において、防火扉の下端部戸尻側に設けたレバーがレバー当接板に当接した状態が保持される。
【０００７】
したがって、開口部を一方側から閉じる防火扉において、防火扉を確実に開口部の周囲を形成する上枠及び竪枠側に引き寄せて当接させることができて、建物の開口部側に対して防火扉を気密状態に保持することができ、建物側の開口部側の内圧が高くなっても防火扉が建物の開口部側から離れるおそれがないものである。
【０００８】
また、請求項２に記載の発明は、前記構成において、防火扉の戸先側の側面に凹部を形成し、防火扉が閉じるときに戸先側の側面が当接する当接枠側には前記凹部に嵌入して防火扉の戸先側を開口部の前面側へ引き寄せるレバーを設けたことを特徴とする。
【０００９】
前記構成によれば、防火扉の戸先側を確実に開口部の前面側へ引き寄せることができる。
さらに、請求項３に記載の発明は、ハンガーに設けた戸車を建物側のレール上に走行させることにより建物の開口部を開閉自在にスライドして前記開口部を両側から閉じる２つの防火扉を、火災時に前記開口部の周囲を形成する上枠及び竪枠側に引き寄せて前記開口部に対して防火扉を気密状態に保持する防火扉装置であって、前記各防火扉の上端に、前記ハンガー側から下向きに鉛直方向に突出する軸と、防火扉の上端から上向きに鉛直方向に突出する軸と、これら軸を回転自在に支持して水平方向に回転するケーシングとによって形成されたリンク手段をそれぞれ設け、前記リンク手段を介して各防火扉をそれぞれハンガーに吊り下げ、前記各防火扉を閉じるときに各防火扉の上端側を前記開口部の周囲を形成する上枠の前面側に引き寄せるべく、前記各防火扉の上端に鉛直軸に支持されたローラをそれぞれ設け、前記開口部の後面側には前記各ローラの当接により回転して前記各ローラを前記開口部の後面側に引き寄せる鉛直軸に支持されたレバーをそれぞれ設け、前記各防火扉を閉じるときに各防火扉の下端側を前記開口部の周囲を形成する竪枠の前面側に引き寄せるべく、前記各防火扉の下端部戸尻側に開口部に対して反対側に防火扉の下端部から突出する回転自在なレバーをそれぞれ設け、床面には前記各レバーに当接してこのレバーを開口部に対して反対側に突出させる当接部材をそれぞれ設け、各防火扉が閉じた状態において各防火扉の戸尻側に設けた前記各レバーに対応する位置で竪枠の前面との間で各防火扉の戸尻側を挟むようにレバー当接板をそれぞれ設け、各防火扉が閉じた状態において前記当接部材により前記レバーを各防火扉の下端部から突出させて前記レバー当接板にそれぞれ当接させることにより各防火扉の下端部を前記竪枠の前面側に引き寄せるように構成し、かつ、一方の防火扉の戸先側の側面に沿って気密部材を設けたことを特徴とする。
【００１０】
前記構成によれば、開口部を両側から閉じる２つの防火扉において、各防火扉を閉じるときに、各防火扉の上端に設けたローラが開口部の後面側に設けた各レバーに当接すると、これらのレバーが回転して前記ローラが開口部側にそれぞれ引き寄せられ、それに伴ってリンク手段のケーシングが開口部側へ水平に回転し、これによって各防火扉の上端側がレールに対して平行状態を保持して上枠の前面側にそれぞれ引き寄せられ、各防火扉の上端側が上枠の前面側にそれぞれ当接する。それと同時に各防火扉の下端部戸尻側に設けたレバーに床面に設けた当接部材がそれぞれ当接し、前記レバーを開口部に対して反対側に防火扉の下端部から突出させてレバー当接板にそれぞれ当接させ、それによって各防火扉の下端側が開口部側にそれぞれ引き寄せられ、これによって各防火扉の下端側が竪枠の前面側にそれぞれ引き寄せられ、各防火扉の下端側が竪枠の前面側にそれぞれ当接する。そして、各防火扉を閉じた状態において、各防火扉の下端部戸尻側に設けたレバーがレバー当接板に当接した状態が保持され、また、各防火扉の戸先側側面同士が突き合わされることにより、一方の防火扉の戸先側側面に設けた気密部材により各防火扉の突き合せ面が気密状態に保持される。
【００１１】
したがって、開口部を両側から閉じる２つの防火扉において、各防火扉を確実に開口部の周囲を形成する上枠及び竪枠側に引き寄せて当接させることができて、建物の開口部側に対して防火扉を気密状態に保持することができ、建物側の開口部側の内圧が高くなっても防火扉が建物の開口部側から離れるおそれがないものである。
【００１２】
【発明の実施の形態】
以下、本発明の実施の形態における防火扉装置を図面に基づいて詳細に説明する。
【００１３】
本発明の一実施の形態における防火扉装置を図１〜図２１に基づいて説明する。この防火扉装置は、例えばエレベータの昇降口のエレベータホール側に設けられる。
【００１４】
この防火扉装置においては、図１〜図３に示すように、防火扉が一方側にスライドする１枚の引戸１から形成されており、エレベータ側には上枠２と竪枠３、３によって開口部４が形成され、開口部４の一方側には戸袋５が形成されている。前記上枠２と竪枠３、３の表面にはそれぞれゴムなどのゴム状材料からなる気密部材６が設けられ、引戸１の下端部にはゴムなどのゴム状材料からなるひれ状の気密部材７が吊設されている。
【００１５】
前記引戸１は平常時には開口部４を開いた状態に保持される。
さらに、開口部４の後面側であるエレベータ側の上方にはレール８が設けられ、さらにその下方には上段ガイドレール９、下段ガイドレール１０の２段のガイドレールが同一垂直平面内に設けられている。
【００１６】
そして、前記引戸１の上端にはその戸先側と戸尻側に引戸１の上端に沿ってそれぞれ取付け板１１が設けられ、この取付け板１１の上にはリンク部材１２が設けられている。このリンク部材１２上にはそれぞれ戸車１３を取り付けたハンガー１４が設けられており、この戸車１３はレール８上に走行可能に載せられ、それによって前記引戸１が左右にスライドするようになっている。
【００１７】
前記リンク部材１２は、図６、図７に示すように、ケーシング１５の一端側に鉛直軸１６が配され他端側に鉛直軸１７が配されており、前記鉛直軸１６は前記ハンガー１４の下端部に設けたフレーム１８に固定されて下向きに突出し、また、前記鉛直軸１７は前記取付け板１１に固定されて上向きに突出し、各鉛直軸１６、１７は玉軸受１９にて支持され、リンク部材１２のケーシング１５が水平方向に回転するように構成されている。そして、ケーシング１５は引戸１の開放状態においては、図８に示すように、取付け板１１の長手方向に対して所定の傾斜角αだけ傾斜して取り付けられている。また、引戸１の閉塞状態においては、図９に示すように、ケーシング１５がＳ方向に所定角度回転して取付け板１２の長手方向に対して前記傾斜角αよりも小さな傾斜角βになるようになっている。すなわち、ケーシング１５がＳ方向に所定角度だけ回転することによって引戸１の上端側が上枠２及び竪枠３、３に対して平行状態を保持して開口部４側すなわち上枠２及び竪枠３、３側に移動するようになっている。また、取付け板１１に設けた鉛直ピン２１はケーシング１５の側面に設けた水平ピン２２に当接して、引戸１の上端側が開放状態において引戸１が開口部４側から必要以上離れないようにされる。
【００１８】
また、前記取付け板１１にはそれぞれガイドローラ２３が設けられ、戸先側に設けたガイドローラ２３が前記上段ガイドレール９に当接して転動し、戸尻側に設けたガイドローラ２３が前記下段ガイドレール１０に当接して転動するようになっている。これによって、引戸１のスライド時に引戸１と上枠２及び竪枠３、３との間に所定の僅かな隙間が形成される。
【００１９】
前記ガイドローラ２３は、図１０に示すように、鉛直軸２０に支持されてアーム２４に取り付けられており、前記上段ガイドレール９に当接させるべきガイドローラ２３のアーム２４の長さが前記下段ガイドレール１０に当接させるべきガイドローラ２３のそれよりも長くなっている。
【００２０】
そして、前記上段ガイドレール９には、図１１に示すように、一端側に傾斜部２５を介してエレベータ側に窪んだ低位平面２６が形成され、この低位平面２６には引戸１を閉じるときに前記戸先側に設けたガイドローラ２３が当接して引戸１の上端側を開口部４側に引き寄せるための引寄せレバー装置２７が設けられている。また、下段ガイドレール１０には、その中央部に傾斜部２５を介してエレベータ側に窪んだ低位平面２６が形成され、この低位平面２６には引戸１を閉じるときに前記戸尻側に設けたガイドローラ２３が当接して引戸１の上端側を開口部４側に引き寄せるための前記と同様の引寄せレバー装置２７が設けられている。
【００２１】
前記引寄せレバー装置２７は、図１２〜図１４に示すように、断面略コ字状の一端側に開口２８ａが形成されたケーシング２８とこれに収納された引寄せレバー３１により構成され、前記引寄せレバー３１は略Ｌ字状に折曲された形状を有し、この折曲部の内側に前記ガイドレール２３が当接する湾曲凹部３１ａが形成され、前記折曲部の位置で鉛直軸２９により回転自在に支持されている。そして、前記湾曲凹部３１ａは鉛直軸２９よりもケーシング２８の開口２８ａ寄りに位置している。
【００２２】
そして、前記ケーシング２８の開口２８ａ側から前記ガイドローラ２３がケーシング２８内に進入して引寄せレバー３１の前記湾曲凹部３１ａに当接するとともに係合して、引寄せレバー３１が前記湾曲凹部３１ａをエレベータ側に移動させる方向に回転し、それによって前記ガイドローラ２３が湾曲凹部３１ａとともにエレベータ側に移動して、引戸１の上端側が前記上枠２側に引き寄せられるようになっている。そして、引戸１が閉じた状態では、前記湾曲凹部３１ａはガイドローラ２３が係合した状態で鉛直軸２９に対して開口２８ａの反対側まで回転していて、前記開口２８ａと反対側に設けた調節ねじ３５に当接するようになっている。
【００２３】
そして、前記引寄せレバー３１の一端部に設けたピン３２とケーシング２８内の一端側に下方に突出させたピン３３とを引張りばね３４で連結し、引戸１を開くときにガイドローラ２３が引寄せレバー３１から離れると、引寄せレバー３１が前記引張りばね３４によって元の位置に復帰するように構成されている。なお、３０は前記引寄せレバー装置２７を取り付けるための取付け金具である。
【００２４】
この引寄せレバー装置２７においては、前記ガイドローラ２３がケーシング２８内へ進入すると、図８に示すように、ガイドローラ２３が引寄せレバー３１の凹部３１ａに当接する。そして、ガイドローラ２３が引寄せレバー３１の凹部３１ａに当接すると、図９に示すように、引寄せレバー３１が引張りばね３４を引き伸ばした状態で凹部３１ａがエレベータ側に移動するように回転し、それに伴ってガイドローラ２３がエレベータ側に移動し、これと同時に前記リンク部材１２のケーシング１５が開口部４側（Ｓ方向）に回転して引戸１の上端側が上枠２側に引き寄せられる。
【００２５】
さらに、前記竪枠３、３近傍の床面には鉛直軸周りで水平に回転する支持ローラ３７が設けられ、引戸１の下端に沿って形成されたガイド溝３８にこの支持ローラ３７が嵌入して引戸１を下方から支持して引戸１がスライドするようになっている。
【００２６】
さらに、引戸１の戸尻側下端には前記ガイド溝３８内に突出レバー装置４１が設けられ、引戸１を閉じるときに戸尻側が前記支持ローラ３７の位置にスライドしたときに引戸１の下端側が竪枠３、３側に引き寄せられるようになっている。
【００２７】
この突出レバー装置４１は、図１５に示すように、ケーシング４２の一端側に設けた鉛直軸４３の軸芯周りで水平に回転自在な突出レバー４４を備え、この突出レバー４４には前記鉛直軸４３の軸受部４５に巻かれたばね４６の先端部が弾接されてばね力が付勢されており、ケーシング４５の他端側には前記支持ローラ３７のガイド面４７が形成されている。
【００２８】
なお、４８は突出レバー４４の前記ガイド面４７に対する傾斜角度を調整するための調整ねじであって、突出レバー４４を貫通してケーシング４２に形成した傾斜部４９に当接して前記傾斜角度を調整するようになっている。
【００２９】
前記引戸１が閉じる方向へスライドすると、図１６に示すように、突出レバー装置４１が引戸１のスライドに伴なって前記支持ローラ３７側へ移動し、突出レバー装置４１のガイド面４７が支持ローラ３７の位置に至る。
【００３０】
さらに、引戸１が閉じる方向へスライドすると、図１７に示すように、突出レバー４４が支持ローラ３７に当接して回転し、引戸１の戸尻側下端部の前面側に形成された切欠部５１から突出する。
【００３１】
そして、引戸１がさらに閉じる方向へスライドすると、図１８に示すように、突出レバー４４が切欠部５１から略直角に突出し、その先端部が開口部４に対して反対側に設けたレバー当接板５２に当接する。これによって、引戸１の戸尻側の下端側が竪枠３、３側に引き寄せられる。
【００３２】
さらに、引戸１の戸先側にはその上端部近傍と下端部近傍にそれぞれ断面がＶ字状の凹部５４を有する戸先引寄せ具５５が設けられ、引戸１が閉じた状態で当接する戸当り枠５６側には前記戸先引寄せ具５５と対応する位置に戸先引寄せレバー装置５７が設けられている。
【００３３】
前記戸先引寄せレバー装置５７は、図１９に示すように、ケーシング５８に設けた鉛直軸５９に引寄せレバー６１が回転自在に支持されるとともに軸受部６２に巻回したばね６３の先端部が弾接してばね力が付勢されており、この戸先引寄せレバー６１の先端部にはローラ６４が鉛直軸６５にて回転自在に支持されている。
【００３４】
そして、図２０に示すように、前記戸先引寄せ具５５には、Ｖ字状の凹部２４が形成されていて、凹部５４の谷底部６６が引戸１の厚み方向の中心線６７と一致するように引戸１の戸先に設けられている。また、前記戸先引寄せレバー装置５７は前記鉛直軸５９が前記中心線６７に対して偏心するように設けられていて、引寄せレバー６１は引戸１の中心線６７に対して所定角度傾斜し、ローラ６４の中心が引戸１の中心線６７と一致するように設けられる。
【００３５】
そして、引戸１が閉じるときにローラ６４が戸先引寄せ具５５の凹部５４に嵌入して当接するとともに、引寄せレバー６１が引戸１の戸先側が当接すべき一方の竪枠３側に回転し、それによって引戸１の戸先側が竪枠３側に引き寄せられるようになっている。
【００３６】
さらに、前記レール８の戸当り枠５６側にはぜんまいばねを駆動源とする自動閉塞装置６８が設けられ、自動閉塞装置６８から引き出されたワイヤ６９が引戸１の戸先側に設けたハンガー１４に連結されていて、自動閉塞装置６８により引戸１が自動的に閉じるようになっている。
【００３７】
また、引戸１の戸先側に設けたハンガー１４の上方には開放保持装置７１がレール８に支持され、この開放保持装置７１の下部には引戸１の戸先側に設けたハンガー１４に設けられた上端が凹状の係合金具７２と係合するストップレバー（図示せず）が設けられ、引戸１が開かれた状態においてストップレバーが係合金具７２に係合するようにストップレバーを内部の駆動装置により作動させている。また、火災発生時に図外の煙感知器、熱感知器等が働くことによって前記開放保持装置７１の駆動装置が働いて前記ストップレバーが係合金具７２から外れるようになっている。このようにストップレバーが係合金具７２から外れると引戸１はレール８に吊り下げられた状態で前記自動閉塞装置６８により閉じられる。
【００３８】
また、前記レール８には引戸１を閉じるときの衝撃を緩和するための空気圧又は油圧によって作動する衝撃緩和装置７３が設けられている。
前記構成において、火災発生時に図外の煙感知器等が働いて前記開放保持装置７１の前記ストップレバーが係合金具７２から外れると、引戸１はレール８に吊り下げられた状態で前記自動閉塞装置６８により閉じる方向へスライドする。スライド時には前記ガイドローラ２３がそれぞれ上段ガイドレール９、下段ガイドレール１０に当接して転動し、引戸１と上枠２及び竪枠３、３との間に所定の僅かな隙間が保たれた状態でスライドする。
【００３９】
そして、引戸１を閉じるときに、前記ガイドローラ２３がケーシング２８内へ進入すると、ガイドローラ２３が引寄せレバー３１の湾曲凹部３１ａに当接する。そして、ガイドローラ２３が引寄せレバー３１の前記湾曲凹部３１ａに当接すると、引寄せレバー３１が引張りばね３４を引き伸ばしながら凹部３１ａがエレベータ側に移動するように回転し、それに伴なってガイドローラ２３がエレベータ側に移動し、これと同時に前記リンク部材１２のケーシング１５が開口部４側（Ｓ方向）に回転して引戸１の上端側が上枠２側に引き寄せられる。それと同時に突出レバー４４により引戸１の下端側が竪枠３、３に引寄せられ、引寄せレバー６１により引戸１の戸先側が一方の竪枠３側へ引寄せられる。これによって引戸１は上枠２及び竪枠３、３の前面側に当接し、上枠２及び竪枠３、３に設けた気密部材６に密着する。そして、引戸１の下端に設けたひれ状の気密部材７によって引戸１の下端と床面との間が密閉される。これによって、開口部４側に対して引戸１の気密状態が保持される。
【００４０】
本実施の形態によれば、開口部を一方側に閉じる引戸１において、上端側がガイドローラ２３と引寄せレバー３１とにより上枠２側に、下端側が突出レバー４４、支持ローラ３７及びレバー当接板５２により竪枠３、３側に、戸先側が戸先引寄せ具５５と引寄せレバー６１により竪枠３側に引き寄せられて、引戸１を上枠２及び竪枠３、３に確実に引き寄せることができ、エレベータの出入り口に対して引戸１を確実に気密状態に保持することができる。また、引戸１を閉じた状態においては、ガイドローラ２３と引寄せレバー３１とが係合しているとともに突出レバー４４がレバー当接板５２に当接しているため、エレベータ側の内圧が高くなっても引戸１がエレベータ側から離れるおそれがないものである。
【００４１】
また、前記ガイドレール９、１０に傾斜部２５を設けたことにより、前記引寄せレバー３１からガイドローラ２３を離して引戸１を手動で開くときに、ガイドローラ２３が傾斜部２５に沿って移動されることになるため、ガイドローラ２３の前記低位平面２６からの脱出が容易になる。
【００４２】
なお、本実施の形態では、引戸１の戸先側に戸先引寄せ具５５を設けるとともに戸当り枠５６側に戸先引寄せレバー６１を設けたが、これらは必ずしも設けなくてもよい。また、戸当り枠５６に沿ってゴムなどからなる気密部材を設けることもできる。
【００４３】
次に、本発明の他実施の形態における防火扉装置を図２２〜図２６に基づいて説明する。この防火扉装置は前記実施の形態と同様に例えばエレベータの昇降口のエレベータホール側に設けられる。なお、前記実施の形態と同一機能を有するものについては、同一符号を付して説明を省略する。
【００４４】
この防火扉装置においては、図２２〜図２４に示すように、防火扉が引戸１Ａ、引戸１Ｂとからなり、左右両側にスライドする両引戸に形成されている。
この防火扉装置では、引戸１Ａ、引戸１Ｂの上端には戸先側と戸尻側にそれぞれ取付け板１１が設けられ、取付け板１１の上にはリンク部材１２が設けられている。リンク部材１２上にはそれぞれ戸車１３を取り付けたハンガー１４が設けられ、戸車１３はレール８上に走行可能に載せられ、それによって引戸１Ａ、引戸１Ｂが左右にスライドするようになっている。そして、引戸１Ａ、引戸１Ｂが連動してスライドするように、エレベータ側に設けられ一対のローラ７５に巻き掛けされた無端ワイヤ７６に引戸１Ａ、引戸１Ｂの戸先側に設けたハンガー１４が連結されている。
【００４５】
そして、前記取付け板１１には、上段ガイドレール９、下段ガイドレール１０に当接するガイドローラ２３が設けられている。また、前記上段ガイドレール９、下段ガイドレール１０の中央部にはそれぞれ傾斜部２５を介してエレベータ側に窪んだ低位平面２６が形成され、この低位平面２６にはそれぞれ引寄せレバー装置２７が設けられている。
【００４６】
また、竪枠３、３近傍の床面にはそれぞれ支持ローラ３７が設けられ、引戸１Ａ、引戸１Ｂの戸尻側下端にはガイド溝３８内に突出引寄せレバー装置４１が設けられている。
【００４７】
さらに、引戸１Ａ、引戸１Ｂの戸先側側面にはそれに沿って引戸１Ａと引戸１Ｂとが突き合わされる段部７７がそれぞれ形成されており、引戸１Ａ側の段部７７にはそれに沿って気密部材６が設けられ、一方、引戸１Ｂ側の段部７７にはそれに沿って前記気密部材６が係合する係合部７８が形成されている。それによって、引戸１Ａ、引戸１Ｂが閉じられて突き合わされたときに、両引戸１Ａ、１Ｂの突合せ面において開口部４側に対して引戸１Ａ、１Ｂの気密状態を保持されるようになっている。
【００４８】
前記構成において、火災発生時に図外の煙感知器等が働いて前記開放保持装置７１の前記ストップレバーが係合金具７２から外れると、引戸１Ａ、１Ｂはレール８に吊り下げられた状態で前記自動閉塞装置６８により閉じる方向へスライドする。スライド時には前記ガイドローラ２３がそれぞれ上段ガイドレール９、下段ガイドレール１０に当接して転動し、引戸１Ａ、１Ｂと上枠２及び竪枠３、３との間に所定の僅かな隙間が保たれた状態でスライドする。
【００４９】
そして、引戸１を閉じるときに、前記ガイドローラ２３がケーシング２８内へ進入すると、ガイドローラ２３が引寄せレバー３１の湾曲凹部３１ａに当接する。そして、ガイドローラ２３が引寄せレバー３１の前記湾曲凹部３１ａに当接すると、引寄せレバー３１が引張りばね３４を引き伸ばしながら湾曲凹部３１ａがエレベータ側に移動するように回転し、それに伴ってガイドローラ２３がエレベータ側に移動し、これと同時に前記リンク部材１２のケーシング１５が開口部４側（Ｓ方向）に回転して引戸１Ａ、１Ｂの上端側が上枠２側に引き寄せられる。それと同時に突出レバー４４により引戸１の下端側が竪枠３、３側に引寄せられる。これによって引戸１Ａ、１Ｂは上枠２及び竪枠３、３の前面側に当接し、上枠２及び竪枠３、３に設けた気密部材６に密着する。そして、引戸１の下端に設けたひれ状の気密部材７によって引戸１の下端と床面との間が密閉され、また、引戸１Ａの段部７７に設けた気密部材６と引戸１Ｂに設けた係合部７８とが係合して引戸１Ａと１Ｂとの間が密閉される。これによって、開口部４側に対して引戸１の気密状態が保持される。
【００５０】
本実施の形態によれば、開口部４を両側から閉じる２つの引戸１Ａ、１Ｂにおいて、上端側がガイドローラ２３と引寄せレバー３１とにより上枠２側に、下端側が突出レバー４４、支持ローラ３７及びレバー当接板５２により竪枠３、３側に引き寄せられて、引戸１を上枠２及び竪枠３、３に確実に引き寄せることができ、また、引戸１Ａの段部７７に設けた気密部材６と引戸１Ｂに設けた係合部７８とが係合してことにより、エレベータの出入り口に対して引戸１Ａ、１Ｂを確実に気密状態に保持するができる。また、引戸１Ａ、１Ｂを閉じた状態においては、ガイドローラ２３と引寄せレバー３１とが係合しているとともに突出レバー４４がレバー当接板５２に当接しているため、エレベータ側の内圧が高くなっても引戸１がエレベータ側から離れるおそれがないものである。
【００５１】
なお、本発明の防火扉装置は、エレベータの出入口の他、通常の通路などに設けることができる。
【００５２】
【発明の効果】
以上述べたように、請求項１に記載の発明によれば、開口部を一方側から閉じる防火扉において、防火扉を確実に開口部の周囲を形成する上枠及び竪枠の前面側に引き寄せることができて、建物の開口部側に対して防火扉を気密状態に保持するができ、建物の開口部側の内圧が高くなっても防火扉が建物の開口部側から離れるおそれがないものである。
【００５３】
また、請求項２に記載の発明によれば、防火扉の戸先側を確実に開口部の前面側へ引き寄せることができる。
さらに、請求項３に記載の発明によれば、開口部を両側から閉じる防火扉において、防火扉を確実に開口部の周囲を形成する上枠及び竪枠の前面側に引き寄せることができて、建物の開口部側に対して防火扉を気密状態に保持することができ、建物の開口部側の内圧が高くなっても防火扉が建物側から離れるおそれがないものである。
【図面の簡単な説明】
【図１】本発明の一実施の形態における防火扉の開放状態を示す正面図である。
【図２】図１の部分拡大図である。
【図３】図１の防火扉の閉塞状態を示す正面図である。
【図４】図１の側面断面である。
【図５】図２の側面断面である。
【図６】リンク部材の取付け状態を示す正面図である。
【図７】図６の側面図である。
【図８】リンク部材とガイドローラの動作を示す説明図である。
【図９】リンク部材とガイドローラの動作を示す説明図である。
【図１０】ガイドローラの側面図である。
【図１１】引寄せレバー装置の配置を示す模式図である。
【図１２】引寄せレバー装置の平面図である。
【図１３】図１２の正面図である。
【図１４】図１２の側面図である。
【図１５】突出レバー装置を示し、（ａ）はその平面図、（ｂ）はその側面図、（ｃ）はその正面図である。
【図１６】突出レバー装置の動作を示す説明図である。
【図１７】突出レバー装置の動作を示す説明図である。
【図１８】突出レバー装置の動作を示す説明図である。
【図１９】戸先引寄せレバー装置を示し、（ａ）はその平面断面図、（ｂ）はその正面断面図、（ｃ）はその側面断面図である。
【図２０】戸先引寄せレバー装置の動作を示す平面図である。
【図２１】図１の防火扉の閉鎖状態を示す横断面図である。
【図２２】本発明の他実施の形態における防火扉の開放状態を示す正面図である。
【図２３】図２２の部分拡大図である。
【図２４】図２３の防火扉の閉塞状態を示す正面図である。
【図２５】図２３の防火扉の閉塞状態を示す横断面図である。
【図２６】引寄せレバー装置の配置を示す模式図である。
【符号の説明】
１、１Ａ、１Ｂ  引戸
２    上枠
３    竪枠
４    開口部
５    戸袋
６    気密部材
７    ひれ状の気密部材
８    レール
９    上段ガイドレール
１０  下段ガイドレール
１１  取付け板
１２  リンク部材
１３  戸車
１４  ハンガー
１５  リンク部材のケーシング
２３  ガイドローラ
２５  傾斜部
２７  引寄せレバー装置
３１  引寄せレバー
３１ａ  湾曲凹部
３７  支持ローラ
４１  突出レバー装置
４４  突出レバー
５１  切欠部
５２  レバー当接板
５４  凹部
５５  戸先引寄せ具
５６  戸当り枠
５７  戸先引寄せレバー装置
６１  引寄せレバー
７７  段部
７８  係合部
【図１】
0003630667.tif 000002
【図２】
0003630667.tif 000003
【図３】
0003630667.tif 000004
【図４】
0003630667.tif 000005
【図５】
0003630667.tif 000006
【図６】
0003630667.tif 000007
【図７】
0003630667.tif 000008
【図８】
0003630667.tif 000009
【図９】
0003630667.tif 000010
【図１０】
0003630667.tif 000011
【図１１】
0003630667.tif 000012
【図１２】
0003630667.tif 000013
【図１３】
0003630667.tif 000014
【図１４】
0003630667.tif 000015
【図１５】
0003630667.tif 000016
【図１６】
0003630667.tif 000017
【図１７】
0003630667.tif 000018
【図１８】
0003630667.tif 000019
【図１９】
0003630667.tif 000020
【図２０】
0003630667.tif 000021
【図２１】
0003630667.tif 000022
【図２２】
0003630667.tif 000023
【図２３】
0003630667.tif 000024
【図２４】
0003630667.tif 000025
【図２５】
0003630667.tif 000026
【図２６】
0003630667.tif 000027